【手続補正書】
【提出日】平成21年3月4日(2009.3.4)
【手続補正１】
【補正対象書類名】特許請求の範囲
【補正対象項目名】全文
【補正方法】変更
【補正の内容】
【特許請求の範囲】
【請求項１】
ヘッドを有する被験者の神経学的な視力異常を診断または治療するヘッドマウントディスプレイであって、該ヘッドマウントディスプレイは、
該被験者の第１の眼の現在の特徴づけに従って第１の視覚映像を形成する手段と、
該第１の視覚映像を該被験者の該第１の眼に表示する第１の手段と、
該被験者の該第１の眼の前に表示するための該第１の手段を取り付ける手段であって、該取り付ける手段は、該第１の眼の位置を追跡するセンサを含む、取り付ける手段と、
該ヘッドマウントディスプレイを該被験者の該ヘッドに結合する手段と
を備えている、ヘッドマウントディスプレイ。
【請求項２】
第２の視覚映像を前記被験者の第２の眼に表示する手段をさらに含む、請求項１に記載のヘッドマウントディスプレイ。
【請求項３】
前記第１の視覚映像と前記第２の視覚映像は異なっている、請求項２に記載のヘッドマウントディスプレイ。
【請求項４】
前記被験者の視覚皮質を刺激する一体型の経頭蓋刺激装置をさらに含む、請求項１〜３のいずれか一項に記載のヘッドマウントディスプレイ。
【請求項５】
前記経頭蓋刺激装置は、経頭蓋を磁気的に刺激する経頭蓋磁気刺激装置である、請求項４に記載のヘッドマウントディスプレイ。
【請求項６】
前記経頭蓋の刺激は、前記第１の視覚映像の表示と同期される、請求項４または５に記載のヘッドマウントディスプレイ。
【請求項７】
前記刺激および視覚映像は、移行領域、盲目野および健全野から選択される少なくとも１つの皮質領域におけるニューロンを刺激するように構成されている、請求項４〜６のいずれか一項に記載のヘッドマウントディスプレイ。
【請求項８】
被験者の神経学的な視力異常を診断または治療するヘッドマウントディスプレイであって、該ヘッドマウントディスプレイは、
該被験者の視野における特定されたゾーンに関して識別された位置において、該被験者の第１の眼に第１の視覚映像を提示する第１のディスプレイと、
該被験者の視野における特定されたゾーンに関して識別された位置において、該被験者の第２の眼に第２の視覚映像を提示する第２のディスプレイであって、該第１の視覚映像は該第２の視覚映像とは異なっている、第２のディスプレイと、
該第１のディスプレイおよび該第２のディスプレイに結合された前方サポート部であって、該被験者の眼の前に該ディスプレイの方向を定める前方サポート部と、
該前方サポート部に結合された後方サポート部と
を備えている、ヘッドマウントディスプレイ。
【請求項９】
前記視覚映像は、前記被験者に固定点の選択された範囲を提示するように構成されている、請求項８に記載のヘッドマウントディスプレイ。
【請求項１０】
前記後方サポート部はヘッドストラップを含む、請求項９に記載のヘッドマウントディスプレイ。
【請求項１１】
前記ディスプレイは、前記被験者の視覚皮質を刺激するのに適したシステムを含む、請求項１０に記載のヘッドマウントディスプレイ。
【請求項１２】
前記被験者の視覚皮質を刺激するのに適した前記システムは、経頭蓋を磁気的に刺激する経頭蓋磁気刺激装置である、請求項１１に記載のヘッドマウントディスプレイ。
【請求項１３】
前記刺激は、視覚映像の表示と同期される、請求項８〜１２のいずれか一項に記載のヘッドマウントディスプレイ。
【請求項１４】
前記刺激および視覚映像は、移行領域、盲目野および健全野から選択される少なくとも１つの皮質領域におけるニューロンを刺激するように構成されている、請求項８〜１３のいずれか一項に記載のヘッドマウントディスプレイ。
【請求項１５】
前記ヘッドマウントディスプレイは、光学的刺激を、前記被験者の健全な視野内のゾーン、該被験者の健全な視野外のゾーン、および該被験者の盲目ゾーンに提示して、該ゾーンの１つ以上において視力を訓練するように構成されている、請求項８に記載のヘッドマウントディスプレイ。
【請求項１６】
被験者の神経学的な視力異常を診察または治療するデバイスであって、該デバイスは、
該被験者の少なくとも１つの眼の位置を追跡するセンサを含むヘッドマウントディスプレイと、
該ディスプレイと通信するプロセッサであって、該ディスプレイによって提示される視覚刺激を生成し、該眼の現在の特徴づけに基づき該視覚刺激を生成するように構成されているプロセッサと
を備えている、デバイス。
【請求項１７】
前記プロセッサは、前記眼の複数の現在の特徴づけに基づき前記視覚刺激を生成するように構成されている、請求項１６に記載のデバイス。
【請求項１８】
前記プロセッサは、前記被験者の視覚状態を診断する前記視覚刺激を生成するように構成されている、請求項１７に記載の装置。
【請求項１９】
前記プロセッサは、前記被験者の神経学的な視力異常を治療する前記視覚刺激を生成するように構成されている、請求項１８に記載のデバイス。
【請求項２０】
前記特徴づけは、前記被験者の視野における既知の異常を含む、請求項１６に記載のデバイス。
【請求項２１】
前記特徴づけは、前記被験者の眼の位置および該被験者の凝視の位置合わせから選択される情報を含む、請求項１６に記載のデバイス。
【請求項２２】
前記視覚刺激は、前記被験者の視野の特定のゾーンを刺激するように生成される、請求項１６〜２１のいずれか一項に記載のデバイス。
【請求項２３】
前記特定のゾーンは、移行領域、盲目野および健全野からなるグループから選択される、請求項２２に記載のデバイス。
【請求項２４】
前記視覚映像の提示の間に、前記被験者の視覚皮質を刺激する一体型の経頭蓋磁気刺激装置をさらに含む、請求項１６〜２３のいずれか一項に記載のデバイス。
【請求項２５】
前記経頭蓋の磁気刺激は、視覚刺激の表示と同期される、請求項２４に記載のデバイス。
【請求項２６】
前記経頭蓋の磁気刺激および視覚刺激は、移行領域、盲目野および健全野から選択される少なくとも１つの皮質領域におけるニューロンを刺激するように構成されている、請求項２４または２５に記載のデバイス。
【請求項２７】
被験者の神経学的な視力異常を治療するシステムであって、
視覚映像を個人の眼に提示するディスプレイであって、４０度〜６０度の視野を可能にするディスプレイと、
該ディスプレイの方向を該被験者の眼の前に定める前方サポート部と、
該ディスプレイに関連して前記ヘッドを位置決めする後方サポート部と
を備え、
該治療は、視覚刺激を該ディスプレイに提示することによって実行される、システム。
【請求項２８】
視覚映像の提示の間に、前記被験者の視覚皮質を刺激する一体型の経頭蓋刺激装置をさらに含む、請求項２７に記載のシステム。
【請求項２９】
前記経頭蓋の磁気刺激は、前記視覚映像の表示と同期される、請求項２８に記載のシステム。
【請求項３０】
前記経頭蓋の磁気刺激および視覚刺激は、移行領域、盲目野および健全野から選択される少なくとも１つの皮質領域におけるニューロンを刺激するように構成されている、請求項２８または２９に記載のシステム。
【請求項３１】
ヘッドを有する被験者の神経学的な視力異常を診断または治療するヘッドマウントディスプレイであって、該ヘッドマウントディスプレイは、
該被験者の第１の眼の現在の特徴づけに従って、第１の視覚映像を形成するプロセッサと、
該第１の視覚映像を該被験者の該第１の眼に表示する第１のディスプレイと、
該第１のディスプレイを該被験者の該第１の眼の前に位置決めするサポート部分であって、該第１の眼の位置を追跡するセンサを含むサポート部分と
を備えている、ヘッドマウントディスプレイ。
【請求項３２】
第２の視覚映像を前記被験者の第２の眼に表示する第２のディスプレイをさらに含む、請求項３１に記載のヘッドマウントディスプレイ。
【請求項３３】
前記第１の視覚映像と前記第２の視覚映像は異なっている、請求項３２に記載のヘッドマウントディスプレイ。
【請求項３４】
視覚映像の提示の間に、前記被験者の視覚皮質を刺激する一体型の経頭蓋刺激装置をさらに含む、請求項３１〜３３のいずれか一項に記載のヘッドマウントディスプレイ。
【請求項３５】
前記経頭蓋の刺激は、経頭蓋の磁気刺激である、請求項３４に記載のヘッドマウントディスプレイ。
【請求項３６】
前記刺激は、視覚刺激の表示と同期される、請求項３４または３５に記載のヘッドマウントディスプレイ。
【請求項３７】
前記経頭蓋の磁気刺激および視覚刺激は、移行領域、盲目野および健全野から選択される少なくとも１つの皮質領域におけるニューロンを刺激するように構成されている、請求項３４〜３６のいずれか一項に記載のヘッドマウントディスプレイ。
【請求項３８】
被験者の神経学的な視力異常を診断または治療する方法であって、該方法は、
該被験者のヘッドにヘッド取り付けディスプレイを取り付けることと、
治療のために該被験者の視野の特定のゾーンを指定することと、
該特定のゾーン内の該被験者の視野の領域を刺激するように、該ディスプレイに視覚刺激を表示することと
を包含する、方法。
【請求項３９】
前記被験者の視覚皮質を経頭蓋刺激することをさらに含む、請求項３８に記載の方法。
【請求項４０】
前記経頭蓋刺激は、経頭蓋磁気刺激である、請求項３９に記載の方法。
【請求項４１】
前記刺激は、前記ヘッドマウントディスプレイ内に配置された一体型の刺激システムによって提供される、請求項３９または４０に記載の方法。
【請求項４２】
前記経頭蓋刺激は、視覚刺激と同期される、請求項３９〜４１のいずれか一項に記載の方法。
【請求項４３】
前記経頭蓋刺激および視覚刺激は、移行領域、盲目野および健全野から選択される少なくとも１つの皮質領域におけるニューロンを刺激する、請求項３９〜４２のいずれか一項に記載の方法。
【請求項４４】
被験者の神経学的な視力異常を診断または治療するヘッドマウントデバイスであって、該ヘッドマウントデバイスは、
該被験者の少なくとも１つの眼を光学的に刺激するディスプレイと、
該眼の前に該ディスプレイを位置決めするサポート部分と、
該被験者の視覚皮質を経頭蓋刺激するシステムと
を備えている、ヘッドマウントデバイス。
【請求項４５】
前記視覚皮質を経頭蓋刺激するシステムは、経頭蓋磁気刺激を提供する一体型の経頭蓋磁気刺激装置である、請求項４４に記載のヘッドマウントデバイス。
【請求項４６】
前記視覚皮質を経頭蓋刺激するシステムは、前記ヘッドマウントディスプレイの後方サポート部内に配置される、請求項４５に記載のヘッドマウントデバイス。
【請求項４７】
前記経頭蓋刺激と前記視覚刺激とを同期させるプロセッサをさらに含む、請求項４６に記載のヘッドマウントデバイス。
【請求項４８】
前記デバイスは、移行領域、盲目野および健全野から選択される少なくとも１つの皮質領域におけるニューロンを刺激するように、経頭蓋刺激と前記視覚刺激とに作用する、請求項４４〜４７のいずれか一項に記載のヘッドマウントデバイス。